(57)【要約】【課題】本発明は、製造が容易である電気コネクタ及びその電気コネクタを用いる電子デバイスを提供することである。【解決手段】本発明に係る電気コネクタは、ベースプレートと、ベースプレートに覆設されるカバーと、カバーとベースプレートとの間に収容されるコネクタ体及び支持体と、を備え、コネクタ体の一部分がカバーから突出して、外力作用下でカバーに相対して揺動可能であり、外部電子デバイスに挿入され、支持体は、頂板と、頂板の長手方向に沿う２つの側辺に設置されている支持脚と、を備え、コネクタ体は、頂板の上部に設置され、支持脚は、頂板の側辺から頂板と所定の角度を呈するように延出されている連接アームと、連接アームの頂板から離れている側に湾曲形成されている当接部と、当接部の外側に湾曲形成し且つ連接アームと所定の角度を呈する自由アームと、を備え、当接部は、アーク状の凸部である。【選択図】図５
2011018642.tif 000002
【特許請求の範囲】
【請求項１】
ベースプレートと、前記ベースプレートに設置されるカバーと、前記カバーと前記ベースプレートとの間に収容されるコネクタ体及び支持体と、を備え、前記コネクタ体の一部分が前記カバーから突出して、外力作用下で前記カバーに相対して揺動可能であり、外部電子デバイスに挿入される電気コネクタにおいて、
前記支持体は、頂板と、前記頂板の長手方向に沿う２つの側辺に設置されている支持脚と、を備え、
前記コネクタ体は、前記頂板の上部に設置され、
前記支持脚は、前記頂板の側辺から前記頂板と所定の角度を呈するように延出されている連接アームと、前記連接アームの前記頂板から離れている側に湾曲形成されている当接部と、前記当接部の外側に湾曲形成され且つ前記連接アームと所定の角度を呈する自由アームと、を備え、
前記当接部は、アーク状の凸部であることを特徴とする電気コネクタ。
【請求項２】
前記支持体は、前記頂板の両端部からそれぞれ下方に湾曲してから、前記頂板に平行となるように相反する外側方向に延出して形成される２つのサポートフレームを備えることを特徴とする、請求項１に記載の電気コネクタ。
【請求項３】
前記電気コネクタは、前記サポートフレームと前記カバーとの間に設けられた２つの弾性体をさらに備えることを特徴とする、請求項２に記載の電気コネクタ。
【請求項４】
前記２つのサポートフレームは、それぞれ貫通孔が形成され、
前記カバーの前記ベースプレートに対向する面に、前記２つの貫通孔に貫通して固定される２つのポジショニングポストが設置され、
前記２つのポジショニングポストは、前記２つの前記弾性体にそれぞれ穿設されることを特徴とする、請求項３に記載の電気コネクタ。
【請求項５】
前記カバーにおいて、前記２つのポジショニングポストの間に開口部が形成され、
前記コネクタ体は前記開口部から突出され、且つ前記コネクタ体と前記開口部との間に一定の空隙が存在することを特徴とする、請求項１−４に記載の電気コネクタ。
【請求項６】
ケースと、前記ケースに収容されるコネクタ体及び支持体を含み且つ外部の電子デバイスに電気接続され、一部分が前記ケースから延出されて外力の作用下で前記ケースに対して相対的に揺動される電気コネクタと、を備える電子デバイスにおいて、
前記支持体は、頂板と、前記頂板の長手方向に沿う２つの側辺に設置されている支持脚と、を備え、
前記コネクタ体は、前記頂板の上部に設置され、
前記支持脚は、前記頂板の側辺から前記頂板と所定の角度を呈するように延出されている連接アームと、前記連接アームの前記頂板から離れている側に湾曲形成されている当接部と、前記当接部の外側に湾曲形成し且つ前記連接アームと所定の角度を呈する自由アームと、を備え、
前記当接部は、アーク状の凸部であることを特徴とする電子デバイス。
【発明の詳細な説明】
【技術分野】
【０００１】
本発明は、電気コネクタ及びその電気コネクタを用いる電子デバイスに関するものである。
【背景技術】
【０００２】
電気コネクタは、ドッキングステーション（Ｄｏｃｋｉｎｇ  Ｓｔａｔｉｏｎ）のような電子デバイスに広く応用されている。前記ドッキングステーションは、ノートパソコンの効能を拡大することができるベースであり、自身に設置されている電気コネクタを介して様々な外部デバイス（ディスプレイ、キ―ボ―ド、プリンター、スキャナーなど）に接続することができる。
【０００３】
ノートパソコンをドッキングステーションに設置する角度が傾斜するので、ドッキングステーションの電気コネクタを一般的に揺動的に設置して、ノートパソコンの着脱が便利にするようにする。従来の電気コネクタは、ノートパソコンに挿設されるコネクタと、前記コネクタを収容する絶縁ケースと、前記絶縁ケースの内に固定され且つ前記コネクタを支持する金属板と、を備える。前記金属板には引き出し加工によって突出部が形成し、前記コネクタは前記金属板の突出部によって支持されて、前記ドッキングステーションの電気コネクタを揺動可能である。しかし、前記突出部の製造過程が複雑である。
【発明の概要】
【発明が解決しようとする課題】
【０００４】
前記課題を解決するために、本発明は、製造が容易である電気コネクタ及びその電気コネクタを用いる電子デバイスを提供することである。
【課題を解決するための手段】
【０００５】
本発明に係る電気コネクタは、ベースプレートと、前記ベースプレートに設置されるカバーと、前記カバーと前記ベースプレートとの間に収容されるコネクタ体及び支持体と、を備え、前記コネクタ体の一部分が前記カバーから突出して、外力作用下で前記カバーに相対して揺動可能であり、外部電子デバイスに挿入され、前記支持体は、頂板と、前記頂板の長手方向に沿う２つの側辺に設置されている支持脚と、を備え、前記コネクタ体は、前記頂板の上部に設置され、前記支持脚は、前記頂板の側辺から前記頂板と所定の角度を呈するように延出されている連接アームと、前記連接アームの前記頂板から離れている側に湾曲形成されている当接部と、前記当接部の外側に湾曲形成し且つ前記連接アームと所定の角度を呈する自由アームと、を備え、前記当接部は、アーク状の凸部である。
【０００６】
前記支持体は、前記頂板の両端部からそれぞれ下方に湾曲してから、前記頂板に平行するように相反する外側方向に延出して形成される２つのサポートフレームを備える。
【０００７】
前記電気コネクタは、前記サポートフレームと前記カバーとの間に設けられた２つの弾性体をさらに備える。
【０００８】
前記２つのサポートフレームは、それぞれ貫通孔が形成され、前記カバーの前記ベースプレートに対向する面に、前記２つの貫通孔に貫通して固定される２つのポジショニングポストが設置され、前記２つのポジショニングポストは、前記２つの前記弾性体にそれぞれ穿設される。
【０００９】
前記カバーにおいて、前記２つのポジショニングポストの間に開口部が形成され、前記コネクタ体は前記開口部から突出され、且つ前記コネクタ体と前記開口部との間に一定の空隙が存在する。
【００１０】
本発明に係る電子デバイスは、ケースと、前記ケースに収容されるコネクタ体及び支持体を含み且つ外部の電子デバイスに電気接続され、一部分が前記ケースから延出されて外力の作用下で前記ケースに対して相対的に揺動される電気コネクタと、を備え、前記支持体は、頂板と、前記頂板の長手方向に沿う２つの側辺に設置されている支持脚と、を備え、前記コネクタ体は、前記頂板の上部に設置され、前記支持脚は、前記頂板の側辺から前記頂板と所定の角度を呈するように延出されている連接アームと、前記連接アームの前記頂板から離れている側に湾曲形成されている当接部と、前記当接部の外側に湾曲形成し且つ前記連接アームと所定の角度を呈する自由アームと、を備え、前記当接部は、アーク状の凸部である。
【発明の効果】
【００１１】
従来の技術と比べると、本発明に係る電気コネクタ及び電子デバイスおいて、アーク状の凸部を持つ支持脚を備え、前記凸部を持つ支持脚によって前記電気コネクタが支持されて、前記電気コネクタが前記アーク状の凸部の作用下で揺動することができる。また、本発明に係る電気コネクタの製造が容易である。
【図面の簡単な説明】
【００１２】
【図１】本発明に係る電気コネクタの斜視図である。
【図２】図１に示す電気コネクタの分解図である。
【図３】図１に示す電気コネクタの他の視角からの分解図である。
【図４】図１に示す電気コネクタの支持体の斜視図である。
【図５】図１に示す電気コネクタのＶ−Ｖによる断面図である。
【図６】図１に示す電気コネクタのＶＩ−ＶＩによる断面図である。
【図７】図１に示す電気コネクタを用いる電子デバイスの斜視図である。
【発明を実施するための形態】
【００１３】
以下、図面を参照して、本発明の実施例について説明する。
【００１４】
図１及び図２を参照すると、本発明に係る電気コネクタ１００は、ベースプレート１０と、前記ベースプレート１０に設置されるカバー２０と、前記カバー２０と前記ベースプレート１０との間に収容されるコネクタ体３０及び支持体４０と、を備える。前記支持体４０は、前記ベースプレート１０に設置される。前記コネクタ体３０は、前記支持体４０に設置され、且つ一部分が前記カバー２０の外部に突出されて、外部の電子デバイスに挿入できる。
【００１５】
図２乃至図４を参照すると、前記カバー２０には、前記コネクタ体３０が前記カバー２０の外部へ突出する開口部２１が形成されている。前記ベースプレート１０に対向する前記カバー２０の下表面２２には、前記開口部２１の両側に近接する位置に２つのポジショニングポスト２３が設置されている。前記ポジショニングポスト２３は、前記カバー２０に突設されている円柱体である。
【００１６】
前記コネクタ体３０は、前記開口２１から突出されて外部デバイス（示せず）に挿入される嵌合部３１と、プリント回路基板３５と、前記嵌合部３１を支持し且つネジ３７によって前記プリント回路基板３５に固定されるホルダー３３と、を備える。前記開口部２１のサイズは前記嵌合部３１のサイズより大きいので、前記嵌合部３１と前記開口部２１との間には一定の空隙６０が存在する。従って、前記嵌合部３１は外力を受ける場合、前記開口部２１の内で揺動することができる。
【００１７】
図４及び図５を参照すると、前記支持体４０は、前記カバー２０に向く方向に前記コネクタ体３０を取り付けるための矩形板状の頂板４１と、前記頂板４１の両端部からそれぞれ下方に湾曲してから、前記頂板４１に平行するように相反する外側方向に延出して形成される２つのサポートフレーム４３と、前記頂板４１の長手方向に沿う２つの側辺に設置されている支持脚４５と、を備える。
【００１８】
前記湾曲処理は、強度を向上させて、前記支持体４０が圧力により変形することを減少する。前記２つのサポートフレーム４３には、それぞれ貫通孔４３１が形成されている。前記ポジショニングポスト２３は、前記貫通孔４３１に挿入される。前記頂板４１は、２つのネジ孔４１１が形成されている。前記ネジ３７は、前記ホルダー３３とプリント回路基板３５とを貫通してから、前記ネジ孔４１１に螺合して、前記ホルダー３３とプリント回路基板３５とを前記頂板４１に固定させる。
【００１９】
各々の支持脚４５は、前記頂板４１の側辺から前記頂板４１と所定の角度を呈するように延出されている連接アーム４５３と、前記連接アーム４５３の前記頂板４１から離れている側に湾曲形成されている当接部４５１と、前記当接部４５１の外側に湾曲形成し且つ前記連接アーム４５３と所定の角度を呈する自由アーム４５５と、を備える。前記支持体４０は、前記当接部４５１を介して前記ベースプレート１０に支持される。前記電気コネクタ１００の組立てが完了の後、２つの前記自由アーム４５５と前記ベースプレート１０との間に、それぞれギャップ８０及びギャップ９０が形成される。前記当接部４５１は、前記連接アーム４５３と自由アーム４５５とを連接するアーク状の凸部である。  
【００２０】
図３及び図６を参照すると、前記電気コネクタ１００は、２つの弾性体５０をさらに備える。前記２つのポジショニングポスト２３は、それぞれ前記２つの弾性体５０に穿設される。前記弾性体５０の直径が前記サポートフレーム４３の貫通孔４３１の直径より大きいので、前記弾性体５０は前記サポートフレーム４３と前記カバー２０との間に設けられている。本実施例において、前記弾性体５０はバネである。前記２つの弾性体５０は、前記コネクタを弾性支持する。
【００２１】
図７を参照すると、前記電気コネクタ１００は、ドッキングステーションのような電子デバイス２００に応用される。前記電気コネクタ１００が前記電子デバイス２００に応用される時、前記ベースプレート１０及び前記カバー２０は、前記電子デバイス２００のケース３００からなる。或いは、前記カバー２０は、前記電子デバイス２００のケース３００からなり、前記ベースプレート１０は、電子デバイス２００の内部アセンブリからなる。
【００２２】
前記電気コネクタ１００が設置されている電子デバイス２００と、外部の電子デバイスと、を接続させる時（例えば、外部の電子デバイスを前記電子デバイス２００に接続したまま放置する時）、外部の電子デバイスの相応するコネクタを前記電気コネクタ１００に対向させてから、垂直方向へ外部力を印加して、前記外部の電子デバイスのコネクタと前記電気コネクタ１００とは、前記外部力と前記外部の電子デバイスの重力によって対接される。
【００２３】
前記外部の電子デバイスのコネクタと前記電気コネクタとの挿入角度が傾く時、前記電気コネクタを支持する前記支持体４０の２つの当接部４５１の受ける圧力がそれぞれ異なり、前記２つの弾性体５０の受ける圧力も異なる。前記２つの当接部４５１はアーク状の凸部であるので、前記コネクタ体３０は、前記２つの当接部４５１と前記ギャップ８０及びギャップ９０とによって、前記支持体４０は幅方向で揺動することができる。また、前記弾性体５０は前記支持体４０のサポートフレーム４３に位置され且つ前記弾性体５０の受ける圧力が異なることによって圧縮される高さが異なるので、前記コネクタ体３０は、前記支持体４０は長手方向で揺動することができる。即ち、前記コネクタ体３０は、４つの方向（前、後、左、右）で揺動することができる。電気コネクタ１００は、アーク状の凸部を持つ支持脚４５を通して前記コネクタ体３０の揺動効能を実現できるので、引き出し加工が必要なく、製造過程が容易である。
【符号の説明】
【００２４】
１００  電気コネクタ
２００  電子デバイス
３００  ケース
１０  ベースプレート
２０  カバー
３０  コネクタ体
４０  支持体
５０  弾性体
６０  空隙
８０、９０  ギャップ
２１  開口部
２２  下表面
２３  ポジショニングポスト
３１  嵌合部
３３  ホルダー
３５  プリント回路基板
３７  ネジ
４１  頂板  
４３  サポートフレーム
４５  支持脚
４１１  ネジ孔
４３１  貫通孔
４５１  当接部
４５３  連接アーム
４５５  自由アーム
【図１】
2011018642.tif 000003
【図２】
2011018642.tif 000004
【図３】
2011018642.tif 000005
【図４】
2011018642.tif 000006
【図５】
2011018642.tif 000007
【図６】
2011018642.tif 000008
【図７】
2011018642.tif 000009